(57)【特許請求の範囲】
【請求項１】
ねじ軸とナットからなる台形ねじであって、
前記ねじ軸の外径部と前記ナットのねじ底部の間をシールする外径シール材と、前記ねじ軸の谷径部と前記ナットの内径部をシールする内径シール材と、前記ナットの両端部において前記ねじ軸のフランク面と前記ナットのフランク面の間をシールするフランク面シール材と、によって封止され、前記ねじ軸のフランク面と前記ナットのフランク面との間に形成される螺旋状のａグループ油室およびｂグループ油室と、
前記ａグループ油室とおよび前記ｂグループ油室に、個別に圧力制御された作動油を供給する油圧制御装置と、
前記ａグループ油室および前記ｂグループ油室と連通し、前記油圧制御装置からの油圧を供給するために前記ナットに施された流路孔と、
前記ねじ軸と前記ナットの軸方向の相対位置を測定するねじ位置センサーと、
から構成され、
前記台形ねじの動作中に前記ねじ位置センサーの測定値をフィードバックし、前記ねじ軸のねじ山の両側に形成される、前記フランク面の間の間隔が略同一になるよう、前記油圧制御装置によって前記ａグループ油室および前記ｂグループ油室に供給する作動油の圧力を個別に制御することを特徴とする台形ねじ。
【請求項２】
前記油圧制御装置が、２つの独立した作動油吐出ラインを有し、それぞれの前記作動油吐出ラインに、作動油吐出手段及び圧力制御手段を備えることを特徴とする請求項１に記載の台形ねじ。
【請求項３】
前記ねじ軸は電気モータの回転軸と連結し、前記ナットは回転が拘束された状態で摺動運動可能であることを特徴とする請求項１および請求項２のいずれか１項に記載の台形ねじ。
【請求項４】
モータの回転運動を直進運動に変換して駆動動作するダイカストマシンまたは射出成形機に用いられることを特徴とする請求項１乃至請求項３のいずれか１項に記載の台形ねじ。
【発明の詳細な説明】
【技術分野】
【０００１】
モータの回転運動を効率良く直進運動に変換する台形ねじの構造およびその制御方法であり、ダイカストマシンや射出成形機、あるいは工作機械の駆動装置として利用できる。
【背景技術】
【０００２】
古くから産業用機械などの駆動源として、電気モータが用いられてきた。その電気モータの回転運動を直進運動に変換する機構としてねじ機構が採用され、電気モータの回転速度や回転トルク制御を行なうことにより、直進運動部の速度制御および圧力（推進力）制御を行なう。ねじ機構には、特に台形ねじが多く利用されている。台形ねじは、加工が容易で安価に製作できるという利点があるが、ねじ面（フランク面）同士の金属接触による摺動摩擦抵抗が大きいため、入力した回転エネルギーに対し出力される直進エネルギーの割合が３０％前後と、変換効率が非常に悪いという問題点があった。
【０００３】
そのような問題を解決するため、ねじ軸とナットのねじ山の間に鋼製のボールを嵌め込み、リターンチューブでボールを循環させる方式のボールねじが開発され、現在広く利用されている。ボールねじでは、ねじ軸とナットの間にボールの転がりが介在するため、摩擦抵抗が非常に小さく、９０％を超える変換効率を達成している。そのため、例えば工作機械の送り機構や、電動射出成形機の駆動機構に一般的に利用されている。
しかし、ボールねじの場合、高速で動作するとボール同士の衝突による衝撃でボール自身が破損し、ボールねじおよび機械の故障を引き起こすという問題がある。そのため、ボールねじ軸の外径（Ｄｍｍ）と回転速度（Ｎｒｐｍ）をかけ合わせた数値（Ｄ×Ｎ）である周速に限界値があり、ボールねじ軸の太さおよび回転速度が制限される。よって、高速かつ大荷重（ねじ軸が大径になる）の装置には適しておらず、大型機にはボールねじを採用できないという欠点があった。また、ボールねじの本数を複数にして１本当たりの荷重を低くして使用する場合も、軸同士の同調メカニズムあるいは制御が煩雑となり、コストアップの要因となって採用が困難であった。
【０００４】
他に、台形ねじのナットの内部から、フランク面間に流体を供給するきり孔加工を施し、空気や作動油など流体の圧力を適切に供給して、フランク面での金属接触力を少なくする静圧ねじが利用されている。
例えば、特許文献１には、外筒の内周部とナットの外周部の間に設けた周段部（絞りすきま）とナットに設けられた小孔を経由して、両フランク面に油圧を供給し、軸方向荷重の変動に対応した油圧をバランス良く発生させることにより、フランク面に一定の厚さの流体膜を生じさせることが可能な静圧ねじが開示されている。
次に、特許文献２には、ナット側からフランク面に供給した圧力空気を、ねじ軸の軸芯上に設けた長手方向排気孔から排出し、排出量を充分に確保することによって必要な空気膜を形成可能となる、静圧空気ねじが開示されている。
さらに、特許文献３では、軸方向の荷重を軸受け部分に設けた2個の圧力検出器によって検知し、検知信号を差動増幅器で増幅した後、直接サーボ弁へ信号入力して軸方向荷重に対応した油圧をナットの各フランク面に供給する静圧ねじ装置技術が開示されている。
【先行技術文献】
【特許文献】
【０００５】
【特許文献１】特開昭５７−１５１４４号公報
【特許文献２】特開昭５８−１６６１６１号公報
【特許文献３】特開昭５９−１９０５６１号公報
【発明の概要】
【発明が解決しようとする課題】
【０００６】
しかしながら、特許文献１記載のねじでは、絞りすきまによってフランク面の圧力を調整するため、絞りすきまの高さの製作誤差や作動油温度の変動によって、発生圧力にバラ付きが生じ、常に適切な大きさの圧力を発生できるとは限らなかった。
また、特許文献２記載のねじでは、排気孔から圧力が抜けるため、高い圧力が必要な高荷重のねじ装置では圧力が立たず、適していなかった。
さらに、特許文献３記載のねじでは、圧力検出器から出てきた電気信号により直接サーボ弁を操作するため、低負荷から高負荷の範囲の荷重に対して、フランク面の圧力を適切に制御することが困難であった。
よって本願発明は、台形ねじのフランク面に軸方向荷重に対応した油圧を供給して浮かせ、フランク面同士を確実に非接触とすることで、動力伝達効率が極めて高く、高速大荷重の装置においても採用可能な、油圧浮上式の台形ねじ及びその制御方法を提供するものである。
【課題を解決するための手段】
【０００７】
本願における第１の発明においては、ねじ軸とナットからなる台形ねじであって、ねじ軸の外径部とナットのねじ底部の間をシールする外径シール材と、ねじ軸の谷径部とナットの内径部をシールする内径シール材と、ナットの両端部においてねじ軸のフランク面とナットのフランク面の間をシールするフランク面シール材とによって封止され、ねじ軸のフランク面とナットのフランク面との間に形成される螺旋状のａグループ油室およびｂグループ油室と、ａグループ油室とおよび前記ｂグループ油室に、個別に圧力制御された作動油を供給する油圧制御装置と、ａグループ油室およびｂグループ油室と連通し、油圧制御装置からの油圧を供給するためにナットに施された流路孔と、ねじ軸とナットの軸方向の相対位置を測定するねじ位置センサーと、から構成され、台形ねじの動作中にねじ位置センサーの測定値をフィードバックし、ねじ軸のねじ山の両側に形成される、フランク面の間の間隔が略同一になるよう、油圧制御装置によってａグループ油室およびｂグループ油室に供給する作動油の圧力を個別に制御する台形ねじとする。
また、第２の発明においては、油圧制御装置が、２つの独立した作動油吐出ラインを有し、それぞれの作動油吐出ラインに、作動油吐出手段及び圧力制御手段を備える台形ねじとする。
さらに、第３の発明においては、ねじ軸は電気モータの回転軸と連結し、ナットは回転が拘束された状態で摺動運動可能とする。
そして、第４の発明においては、モータの回転運動を直進運動に変換して駆動動作するダイカストマシンまたは射出成形機に用いる。
【発明の効果】
【０００８】
（１）周速等の制限が無いので、高速移動が可能で且つ大きな推進力を発揮可能なねじ送り機構を実現できる。
（２）ねじのフランク面における金属摺動による摩擦抵抗が無くなるので、モータの回転トルクを効率的に直進運動力（推進力）に変換できる。
【図面の簡単な説明】
【０００９】
【図１】本願発明の実施例であり、台形ねじとその周辺部品を示す図である。
【図２】ねじ軸及びナットの断面と油圧回路の詳細を示す図である。
【図３】フランク面間をシールする部分の詳細を示す図である。
【図４】図３において、矢視Ｐから見た図である。
【発明を実施するための形態】
【００１０】
以下、図面にもとづいて、本発明に係る油圧浮上式台形ねじに関する実施例を詳細に説明する。
【実施例】
【００１１】
図１は、本願発明に係る台形ねじを、機械装置に組み込む際の構造の実施例を示したものである。
機械装置のフレーム１８上に、軸受け固定部材２３が固着されている。軸受け固定部材２３には電気モータ２０がモータ取付けブラケット２２を介して固定されており、電気モータ２０の回転軸はカップリング２１によってねじ軸１０と連結している。ねじ軸１０の図１における左端部は、スラスト軸受け２４、アンギュラ軸受け２５、その間のスペーサ、軸受けナット２６が組み付けられており、回転自在且つ軸方向には拘束された状態で、軸受け固定部材２３に支持されている。ねじ軸１０に左方向のスラスト荷重が作用するとスラスト軸受け２４によって荷重を受け、右方向の力が作用するとアンギュラ軸受け２５によって荷重を受けるようになっている。また、アンギュラ軸受け２５は軸受け押さえ２７によって、軸受け固定部材２３に押さえ付けられている。
一方、ねじ軸１０の右端部には押さえナット３２によって軸受け３１が取付けられており、フレーム１８上に固着された軸受け支持部材３０に回転自在に支持されている。
【００１２】
ねじ軸１０と螺合するナット１１には機械装置の移動部材１３が取付けられており、電気モータ２０の回転駆動が機械装置の直進運動として伝えられる。移動部材１３には、スライドブロック３４が取付けられており、フレーム１８に取付けられているスライドレール３３と組み合わされて摺動自在となるので、ナット１１および移動部材１３は、回転が拘束された状態でかつ直進運動が可能となっている。
【００１３】
図２は、ねじ軸１０とナット１１の螺合部の断面図及びねじのフランク面間に油圧を供給する油圧回路を示す図である。
ねじ軸１０の外周部とナット１１の内周部には、お互い螺合し合う台形ねじが形成されている。台形ねじは、フランク面の間に隙間があるあまねじなっており、軸方向でδｍｍづつの空間に作動油を導くことができる。隙間は、両側を合わせた２δが０．１ｍｍ程度であることが好ましい。ナット１１の内径部１１ｂには、内径シール材５１を収納する溝が加工されており、ナット１１の内径部１１ｂとねじ軸１０の谷径部１０ｂの間をシールできるようになっている。また、ナット１１のねじ底部１１ａには、外径シール材５２を収納する溝が加工されており、ナット１１のねじ底部１１ａとねじ軸１０の外径部１０ａの間をシールできるようになっている。さらに、ナット１１の両端部において、フランク面の間をシールするフランク面シール材７０が２組装着されている。よって、フランク面間の隙間であるａ１、ａ２、ａ３、ａ４、ａ５からなり周囲がシール（封止）された螺旋状のａグループ油室と、同様にｂ１、ｂ２、ｂ３、ｂ４、ｂ５からなるｂグループ油室が形成される。ａグループ油室はナット１１が図の矢印Ａ方向からの荷重を受けると油室が小さくなり、またｂグループ油室は図の矢印Ｂ方向からの荷重を受けると油室が小さくなる。内径シール材５１と外径シール材５２は螺旋状になっている。ａグループ油室とｂグループ油室は１つのねじ山の両側に形成される。
【００１４】
ａグループ油室は、ナット１１に施されたａライン流路孔４７を介して、外部配管であるａラインを経由して、油圧装置と接続されている。また、ｂグループ油室もｂライン流路孔４８を介して油圧装置と接続している。ａラインは、ポンプ用モータ４５によって回転駆動を受けるａラインポンプ４３と接続するとともに、途中で分岐してａライン電磁圧力制御弁４１およびタンク４６と接続している。よって、ａラインポンプ４３から吐出された作動油は、ａライン電磁圧力制御弁４１によって圧力制御され、所望の圧力の作動油をａグループ油室に供給できる。ａライン電磁圧力制御弁４１は、電気的に図示せぬ制御装置と接続しており、制御装置からの指令によって設定圧力を自由に変えることができる。
同様にｂグループ油室も、ｂライン流路孔４８及びｂラインを介して、ｂラインポンプ４４及びｂライン電磁圧力制御弁４２、タンク４６と回路接続し、油圧を制御できるようになっている。
【００１５】
ａラインポンプ４３とｂラインポンプ４４は、ポンプ用モータ４５によって回転し、タンク４６から作動油を吸い上げて、ａラインとｂラインに吐出する。ａグループ油室およびｂグループ油室は、各シール材によってシール（封止、密閉）されているため圧力が確実に上がり、また高圧油の漏れがほとんど無い、ａラインポンプ４３とｂラインポンプ４４およびポンプ用モータ４５の容量を小さくすることができる。従って、ポンプ用モータ４５の消費電力は小さくなる。
【００１６】
ナット１１の端面には、ねじ位置センサー６０が取付けられており、ねじ軸１０のねじ山との間の距離を測定することができる。それにより、ねじ軸１０とナット１１の軸方向の相対位置が測定できるようになっており、ａグループ油室およびｂグループ油室の各隙間を検知できる。ねじ位置センサー６０も制御装置と電気的に接続しており、測定値を瞬時にかつ連続的に送信できるようになっている。
【００１７】
図３に、フランク面シール部分の詳細を示す。スリット溝７３を持つ略円柱状のシールアダプター７１が、ナット１１に埋め込まれて固定されている。シールアダプター７１のスリット溝７３には板状のフランク面シール材７０が摺動自在かつ隙間がほとんど無い状態で嵌め込まれており、ばね７２によってねじ軸１０のフランク面に押し当てられている。ねじ軸１０の材質には鉄鋼が適しているので、フランク面シール７０は銅製であることが好ましい。銅は鉄鋼より若干柔らかいので、ねじ軸１０が回転した際フランク面シール７０材とねじ軸１０のフランク面は擦れ合うが、適度に馴染んでフランク面を傷付けることがなく、効果的にシールすることができる。
【００１８】
図４に、図３におけるシールアダプター７１の中心線を矢視Ｐから見た断面を示す。シールアダプター７１の下部は、スリット溝７３が加工されており、そこにフランク面シール材７０が挿入され支持されるとともに、上からばね７２によって下方に押し付けられている。シールアダプター７１は、ナット１１に組み込まれた状態で内径部にねじ山加工を施せば、ナット１１と連続的な台形ねじを形成することができる。その後シールアダプター７１を取り出し、スリット溝７３を加工すると良い。ここでは、フランク面シール材７０をねじ軸１０のフランク面に押し付けるためにばね７２を利用したが、例えば、フランク面油室に供給される作動油をフランク面シール７０の上側に導き、油圧の力によってフランク面に押し付ける構造にすることも可能である。
【００１９】
次に、上で述べた油圧浮上台形ねじの運転制御方法について説明する。
運転開始信号が制御装置に入力されると、まずポンプ用モータ４５を回転駆動しａラインポンプ４３およびｂラインポンプ４４から作動油を吐出する。この時、ａライン電磁圧力制御弁４１とｂライン電磁圧力制御弁４２は、低い圧力に設定しておく。このことにより、ａグループ油室とｂグループ油室には低い圧力が供給される。この状態でねじ位置センサー６０によって、フランク面間の隙間を測定する。そして、それぞれの隙間が中間値のδｍｍとなるよう、隙間が小さい方のラインの圧力を少し上げて調整する。そして、ナット１１および移動部材１３を直進移動させるため電気モータ２０を回転させる。この時、移動部材１３に作用する力の変動によって隙間が変わるので、常時ねじ位置センサー６０によって相対位置を監視し、適宜ａライン電磁圧力制御弁４１とｂライン電磁圧力制御弁４２の指令値を変更し、各ラインの圧力を増減させる。例えば、ねじ位置センサー６０の測定値が小さくなった場合、矢印Ａ方向の荷重を受けａグループ油室の隙間が小さくなり作動油がａライン電磁圧力制御弁４１を介してタンク４６に落ちていることになるので、ａライン電磁圧力制御弁４１の設定圧力を高くする。
このようなことを、短いサンプリング間隔で繰り返し、両側の隙間が常にδｍｍ近辺に維持できるように制御する。
【００２０】
ここで、機械装置の推進力（荷重）と油室の圧力との関係を述べる。
軸方向の推進力をＱ、ねじ軸の外径をｄ、噛み合っているねじ山の高さをｈ、フランク面に圧力が供給されるねじ山数をＺとすると、フランク面（油室）に供給する作動油の圧力ｑは、次の計算式となる。
ｑ＝Ｑ÷｛π・Ｚ・ｈ・（ｄ−ｈ）｝
以上の計算式より、機械装置の最高推進力の仕様値より最大圧力を計算し、その最大圧力を供給できる油圧回路を設計する。
【００２１】
以上のようなの構成の台形ねじを作成し運転制御することにより、フランク面間に常に作動油が介在しフランク面同士の金属接触が無くなるので、滑らかに回転するねじ装置となる。また、ボールねじのようなボール同士の衝突を軽減するための周速制限が無く、高速かつ高荷重で動作する大型装置を駆動することが可能となる。さらに、ねじ部の油室がシール材により密封されているため高圧作動油の漏れが少なく、ポンプ用モータの消費電力を小さくすることができる。
このようなことから、ダイカストマシンや射出成形機の大型機（例えば型締力が５００トン以上）の駆動装置としても利用でき、型締装置や射出装置を動かすことが可能となる。
【００２２】
上記の実施の形態は本発明の例であり、本発明は、該実施の形態により制限されるものではなく、請求項に記載される事項によってのみ規定されており、上記以外の実施の形態も実施可能である。
【産業上の利用可能性】
【００２３】
サーボモータとねじの組み合わせにより駆動を行なう、ダイカストマシンや射出成形機に利用できる。
【符号の説明】
【００２４】
１０  ねじ軸
１０ａ  外径部
１０ｂ  谷径部
１１  ナット
１１ａ  ねじ底部
１１ｂ  内径部
１３  移動部材
１８  フレーム
２０  電気モータ
２１  カップリング
２２  モータ取付けブラケット
２３  軸受け固定部材
２４  スラスト軸受け
２５  アンギュラ軸受け
２６  軸受けナット
２７  軸受け押さえ
３０  軸受け支持部材
３１  軸受け
３２  押さえナット
３３  スライドレール
３４  スライドブロック
４１  ａライン電磁圧力制御弁
４２  ｂライン電磁圧力制御弁
４３  ａラインポンプ
４４  ｂラインポンプ
４５  ポンプ用モータ
４６  タンク
４７  ａライン流路孔
４８  ｂライン流路孔
５１  外径シール材
５２  内径シール材
６０  ねじ位置センサー
７０  フランク面シール材
７１  シールアダプター
７２  ばね
７３  スリット溝
【図１】
0005454289.tif 000002
【図２】
0005454289.tif 000003
【図３】
0005454289.tif 000004
【図４】
0005454289.tif 000005